(57)【要約】【課題】  本発明は、他の電子機器の画像を無線で受信して表示する表示装置に関し、表示している画像の送信元である電子機器を遠隔制御する場合は、電子機器を選択するための選択画面を表示させることなく、該電子機器の操作メニューを表示させて操作性の向上した表示装置を提供する。【解決手段】  表示装置１であって、前記電子機器から画像信号等のデータを受信する無線受信手段と、前記無線受信手段で受信した前記画像信号に基づいて画像を表示する表示手段３と、前記表示装置１の操作を行う操作手段と、前記電子機器を遠隔操作するための操作信号を送信する無線送信手段とを有し、前記無線受信手段で受信しているデータの送信元の電子機器を遠隔操作する場合、該電子機器の画像が前記表示手段３に表示されている状態で前記操作手段を操作することにより、該電子機器を遠隔操作するための操作メニュー３４が前記表示手段に表示されることを特徴とする。【選択図】  図７
2005323214.tif 000002
【特許請求の範囲】
【請求項１】
他の電子機器の画像を表示することができる表示装置であって、
前記電子機器から画像信号等のデータを受信する無線受信手段と、
前記無線受信手段で受信した前記画像信号に基づいて画像を表示する表示手段と、
前記表示装置の操作を行う操作手段と、
前記電子機器を遠隔操作するための操作信号を送信する無線送信手段とを有し、
前記無線受信手段で受信しているデータの送信元の電子機器を遠隔操作する場合、該電子機器の画像が前記表示手段に表示されている状態で前記操作手段を操作することにより、該電子機器を遠隔操作するための操作メニューが前記表示手段に表示されることを特徴とする表示装置。
【請求項２】
前記送信元の電子機器以外の電子機器を遠隔操作する場合、前記操作手段の操作により、前記電子機器の選択画面が前記表示手段に表示され、前記選択画面で電子機器を選択することにより、選択された電子機器を遠隔操作するための操作メニューが前記表示手段に表示されることを特徴とする請求項１に記載の表示装置。
【請求項３】
前記操作手段は、少なくとも前記表示装置の縦方向または横方向に沿って設けられ接触位置に応じた信号を出力するスライドタッチセンサを有し、前記操作メニューは前記スライドタッチセンサに沿って表示され、前記スライドタッチセンサの前記操作メニューに対応する位置に接触することにより、前記操作メニューの操作項目の選択を行うことを特徴とする請求項１または２に記載の表示装置。
【請求項４】
前記送信元の電子機器を遠隔操作するための操作メニューは、前記スライドタッチセンサに接触することにより表示されることを特徴とする請求項３に記載の表示装置。
【請求項５】
前記操作メニューの前記操作項目は、直線上ではなく段違いに表示されることを特徴とする請求項１乃至４のいずれかに記載の表示装置。
【発明の詳細な説明】
【技術分野】
【０００１】
本発明は、画像等を表示するための表示装置に関する。
【背景技術】
【０００２】
従来、画像や文字等を表示する表示装置として、例えば、携帯用テレビ受像機でテレビ放送を視聴しながら、他のＶＴＲやテレビ受像機等の電子機器を遠隔制御することができる装置が知られている（特許文献１）。
【特許文献１】特開平９−１６３２５３号公報
【発明の開示】
【発明が解決しようとする課題】
【０００３】
しかしながら、特許文献１に記載の装置は、以下のような構成である。まず、遠隔操作モードスイッチＲＭをオンにすると初期メニューパネルが表示され、遠隔操作の対象となる電子機器を選択する。遠隔操作の対象となる電子機器を選択すると、該電子機器の遠隔操作用ファンクションパネルが表示され、所望の操作を選択することにより、該電子機器の遠隔操作を行うことができる。すなわち、他の電子機器の遠隔操作を行う場合は、「初期メニュー」を表示させてから「遠隔操作用ファンクションパネル」を表示させるという２段階の操作が必要であった。
本発明は、このような問題点に鑑みなされたものであり、他の電子機器の画像を無線で受信して表示する表示装置に関し、表示している画像の送信元である電子機器を遠隔制御する場合は、電子機器を選択するための選択画面を表示させることなく、該電子機器の操作メニューを表示させて操作性の向上した表示装置を提供するものである。
【課題を解決するための手段】
【０００４】
本発明は、他の電子機器の画像を表示することができる表示装置であって、前記電子機器から画像信号等のデータを受信する無線受信手段と、前記無線受信手段で受信した前記画像信号に基づいて画像を表示する表示手段と、前記表示装置の操作を行う操作手段と、前記電子機器を遠隔操作するための操作信号を送信する無線送信手段とを有し、前記無線受信手段で受信しているデータの送信元の電子機器を遠隔操作する場合、該電子機器の画像が前記表示手段に表示されている状態で前記操作手段を操作することにより、該電子機器を遠隔操作するための操作メニューが前記表示手段に表示されることを特徴とする。
前記送信元の電子機器以外の電子機器を遠隔操作する場合、前記操作手段の操作により、前記電子機器の選択画面が前記表示手段に表示され、前記選択画面で電子機器を選択することにより、選択された電子機器を遠隔操作するための操作メニューが前記表示手段に表示されることを特徴とする。
前記操作手段は、少なくとも前記表示装置の縦方向または横方向に沿って設けられ接触位置に応じた信号を出力するスライドタッチセンサを有し、前記操作メニューは前記スライドタッチセンサに沿って表示され、前記スライドタッチセンサの前記操作メニューに対応する位置に接触することにより、前記操作メニューの操作項目の選択を行うことを特徴とする。
前記送信元の電子機器を遠隔操作するための操作メニューは、前記スライドタッチセンサに接触することにより表示されることを特徴とする。
前記操作メニューの前記操作項目は、直線上ではなく段違いに表示されることを特徴とする。
【発明の効果】
【０００５】
本発明は、他の電子機器の画像を無線で受信して表示する表示装置に関し、表示している画像の送信元である電子機器を遠隔制御する場合は、電子機器を選択するための選択画面を表示させることなく、該電子機器の操作メニューを表示させて操作性の向上した表示装置を提供することができる。
【発明を実施するための最良の形態】
【０００６】
次に、本発明の内容を詳細に説明するが、本発明はこれら実施の形態に何ら限定されるものではない。
【０００７】
図１は本発明の実施の形態にかかる表示装置１の正面図で、図２は図１の表示装置１を上方から見た上面図である。表示部材２は、液晶パネル等の表示部３、表示部３の縦方向および横方向に沿ってそれぞれ設けられたスライドタッチセンサ４および５、スライドタッチセンサ４、５の両端部にそれぞれ設けられたタッチセンサ６等から構成されている。本体部材７の正面には、表示部３にメニュー画面を表示させる等の画面操作を行う画面操作キー８、メニューの選択、決定等を行なうジョイスティック等のメニュー操作キー９、再生、早送り、録画等の操作を行なうＡＶ操作キー１０、音声の出力を行なうスピーカ１１等が設けられ、側面には記録媒体を挿入できるカードスロット１２が設けられている。本体部材７の上面には、電源キー１３、輝度調整等を行なうための画面調整キー１４、選局キー１５、音量キー１６、他の電子機器を遠隔操作するための信号やデータを送受信する無線送受信部１７、他の電子機器からまたは他の電子機器へ画像信号や音声信号等のデータを送受信する無線送受信部１８等が設けられている。
【０００８】
なお、表示部材２は本体部材７に対して、回転軸１９を中心に回転できるように構成されている。図３は、図１の状態から表示部材２を反時計方向へ９０度回転させた状態を示す図である。
【０００９】
図４は、本発明の表示装置のブロック図である。表示装置１は、他の電子機器からまたは他の電子機器へ画像信号や音声信号等のデータを送受信する無線送受信部１８、画像、映像、音楽または電子ブック等の記録された記録媒体を挿入できるカードスロット１２、カードスロット１２に挿入された記録媒体に記録されたデータを読み取る外部メモリ制御部２０、無線送受信部１８で受信したデータまたは外部メモリ制御部２０のデータのいずれかを選択する切替部２１、切替部２１で選択されたデータの音声信号の信号処理を行なう音声処理部２２、音声処理部２２からの信号に基づいて音声を出力するスピーカ１１、切替部２１で選択されたデータの画像信号の拡大、縮小等の処理を行なうスケーラ２３、スケーラ２３からの画像信号の信号処理を行なう画像処理部２４、表示装置１全体の制御を行なうマイコン２６、各種設定値等が記憶されているＲＯＭ２７、スライドタッチセンサ４、５や各操作キー等を含む操作部２８、操作部２８の操作に基づいて画面上に表示される各種調整値や各メニュー等（以下、ＯＳＤという）を発生するＯＳＤ発生部２９、画像処理部２４からの画像信号とＯＳＤ発生部２９からの信号を重畳する重畳部２５、重畳部２５からの信号に基づいて画像を表示する表示部３、操作部２８の操作に基づいて他の電子機器を遠隔操作するための信号やデータを送受信する無線送受信部１７等から構成される。
【００１０】
以上のような構成により、本発明の表示装置１は、様々の用途に用いることができるものである。例えば、携帯して持ち運びすることができ、家庭内にあるテレビ、ＤＶＤ等の他の電子機器の画像や音声を無線送受信部１８で受信して、離れた場所で他の電子機器の画像や音声を視聴することができる。また、操作部２８の操作により他の電子機器を遠隔操作する信号を無線送受信部１７から送信して、他の電子機器の遠隔操作装置として用いることができる。また、カードスロット１２に記録媒体を挿入して、画像、映像、電子ブック等を見たり、または音楽を聴いたりすることができる。また、図示はしていないが、インターネットと接続できる通信装置を内蔵したり、またはカード型通信装置を挿入できる構成にして、ＷＥＢ画面を閲覧したり、電子メールの送受信等を行なうこともできる。
【００１１】
また、図１乃至図３に示した表示装置１は、表示部材２を回転させて表示部３の向きを変えることができるように構成されている。従って、テレビ、ＤＶＤ等の横長の画像を見る場合は、表示部３が横長の図１の状態で視聴し、電子ブックやＷＥＢ画面等の縦長の画像を見る場合は、表示部３が縦長の図３の状態で視聴することができるので、非常に見やすいものである。さらに、いずれの向きにおいても、本体部材７に設けられた各操作キーの向きは変わらないため、画像に対して常に同じ向きから操作ができ操作性にも優れている。なお、本発明は、表示部材２が回転しない構成の表示装置にも適用できることは勿論である。
【００１２】
また、表示部３に表示されるメニュー等のＯＳＤは、図１の状態では横長の画面に合わせた向きで表示され、図３の状態では縦長の画面に合わせた向きで表示されるようにマイコン２６で制御される。例えば、表示部材２と本体部材７の対向する面等に、表示部材２の回転位置や回転範囲に応じて作動するスイッチを設け、該スイッチの出力に基づいて各画面に合わせた表示を行なうように制御することができる。
【００１３】
次に、スライドタッチセンサ４、５の操作について説明する。
図１に示すように、スライドタッチセンサ４、５は、表示部３の縦方向と横方向に沿ってそれぞれ設けられている。スライドタッチセンサ４、５は、指等で接触することにより、接触位置に応じた信号を出力し、マイコン２６で接触位置を判断することができる。また、スライドタッチセンサ４、５上に接触した指を移動することにより、接触位置に応じた信号の変化に基づいて、移動方向および移動距離を判断することもできる。また、指が接触している時間が所定時間以上か否かを判断して、長押しされたか否かを判断することもできるように構成されている。
【００１４】
以下、表示装置１により、他の電子機器を遠隔操作する場合の具体例について説明する。
まず、他の電子機器全般を遠隔操作する場合について説明する。この場合は、表示部３に表示されている画像がどの電子機器または記録媒体のものであるかにかかわらず、所望の電子機器を選択して遠隔操作を行うことができる。まず、画面操作キー８のメニューキーを押下して表示されるメニュー（図示せず）からリモコンパネルを選択すると、図５に示すような、遠隔操作の対象となる電子機器を選択するための選択画面が表示される。選択画面には、表示装置１に登録されている電子機器の一覧メニューが表示され、機器名や機種名の他に、電子機器が設置されている場所（リビング、キッチン、寝室等）、電子機器の状態（受信中◎、受信可○、受信不可×等）、遠隔操作信号（ＩＲ信号）をステーションを介して送信するように設定されているか否かの表示（ＩＲ）等も表示されている。また、画面下部には、設置場所毎にタブ（全部、リビング、キッチン等）が表示されていて、スライドタッチセンサ５に指を接触することにより、対応する位置のタブが選択されて該タブに表示されている設置場所の電子機器の一覧メニューが表示される構成となっている。
【００１５】
選択画面から所望の電子機器を選択する時は、スライドタッチセンサ４を用いて行う。すなわち、スライドタッチセンサ４に指を接触することにより、接触した位置に対応する電子機器が選択される。また、選択画面を上下にスクロールする時は、スライドタッチセンサ４に指を接触させた状態でスクロールさせたい方向へ指を移動させることにより行うことができる。また、スクロールではなく、選択画面の頁を切り換えたい場合は、スライドタッチセンサ４の両端に設けられたタッチセンサ６により行うことができる。
【００１６】
なお、他の電子機器の操作メニューの登録は、種々の方法により行うことができる。例えば、リモコン学習機能を用いて入力操作を行ったり、表示装置１に予めインストールされている電子機器から選択したり、またはホームページ上に各電子機器の操作メニューを用意しておきダウンロードする等の方法により行うことができる。
また、各電子機器の操作メニューは、表示要求がなされた時に、遠隔操作の対象となる電子機器自体またはネットワーク上のサーバから取得して表示する構成にしてもよい。また、各電子機器の操作メニューは、表示要求がなされた時に、遠隔操作の対象となる電子機器自体またはネットワーク上のサーバから取得した操作メニューデータベース情報から表示直前に生成されるような構成にしてもよい。例えば、遠隔操作の対象となる電子機器が機器内にＷＥＢサーバを有し、操作画面がＷＥＢブラウザで表示されるような構成にすれば、操作時に遠隔操作の対象となる電子機器から操作メニュー画面のＨＴＭＬファイルを取得して表示するように構成することができる。
【００１７】
このようにして電子機器が選択されると、図６に示すような操作画面が表示される。操作画面は、表示装置１に表示されていた画像等が表示される子画面部３１、図５に示した選択画面の一覧メニューが縮小した形で表示される一覧メニュー部３２、選択された電子機器名等が表示される名称部３３、選択された電子機器を遠隔操作するための操作メニューが表示される操作メニュー部３４等から構成される。
【００１８】
電子機器の遠隔操作は、スライドタッチセンサ５を用いて行うことができる。すなわち、スライドタッチセンサ５に指を接触することにより、接触した位置に対応する操作メニュー部３４の操作項目（再生、停止、早送り等）が選択され、無線送受信部１７から選択された操作項目の操作信号が電子機器に送信されるものである。また、操作メニュー部３４の画面を左右方向へスクロールする時は、スライドタッチセンサ５に指を接触させた状態でスクロールさせたい方向へ指を移動させることにより行うことができる。なお、スクロールではなく操作メニュー部３４の頁を切り換えたい場合は、スライドタッチセンサ５の両端に設けられたタッチセンサ６により行うことができる。
【００１９】
また、操作画面には一覧メニュー部３２が表示されているので、更に別の電子機器を遠隔制御したい場合は、図５の選択画面を再度表示させる必要はなく、操作画面から別の電子機器を選択して、該電子機器の操作画面を表示させることができるので、非常に操作性に優れているものである。なお、表示装置１に何も画像が表示されていない場合は、子画面部３１は表示されずに、一覧メニュー部３２が縮小されない形で、子画面部３１の場所まで延長されて表示される。
【００２０】
また、操作画面には、電源キー３５が表示されており、スライドタッチセンサ４の対応する位置に指を接触させることにより、選択された電子機器の電源のオン・オフを制御することができる。また、画面の左上の隅には、遠隔操作信号の送信中にリモコンの形をした動くアイコンが表示され、送信されていることを確認することができる。
【００２１】
次に、表示装置１で表示している画像の送信元である電子機器を遠隔操作する場合について説明する。例えば、リビングにあるＤＶＤの画像や音声を寝室で表示装置１により視聴しながら、表示装置１を用いてリビングのＤＶＤを遠隔操作する等の場合である。この場合、表示部３にＤＶＤの画像が表示されている状態で、スライドタッチセンサ５に指を接触すると、図７に示すように、ＤＶＤの画像に合成されてＤＶＤの操作メニュー部３４、名称部３３、電源キー３５等が表示される。操作メニュー部３４の操作は、図６の操作メニュー部３４と同様にスライドタッチセンサ５を用いて行うことができる。
【００２２】
従って、表示している画像の送信元である電子機器を遠隔操作する場合は、図５に示した選択画面を表示させることなく、スライドタッチセンサ５に指を接触するだけで、操作メニュー部３４を表示させることができるので、煩雑な操作が必要なく、あたかも表示している画像の送信元である電子機器専用の遠隔操作装置のように、非常に簡単に遠隔操作を行うことができるものである。
【００２３】
また、操作メニュー部３４を表示させる操作は、スライドタッチセンサ５に指を接触させることにより行ったが、他の操作手段を用いて行うようにしてもよい。例えば、操作ボタン３０等を押下することにより行うように構成することもできる。
【００２４】
また、図５の選択画面を表示させて電子機器を選択する場合でも、選択された電子機器が表示装置１に表示されている画像の送信元の電子機器と一致する場合は、図６の操作画面ではなく、図７の画面を表示させるように制御することもできる。
【００２５】
また、図６および図７に示した操作メニュー部３４は、各操作項目が直線上ではなく、段違いに配置されている。このように表示することにより、狭いスペースに多くの操作項目を表示させることができ、スクロールや頁切り換えの手間を省くことができる。また、図５乃至図６に示したスライドタッチセンサ４、５には、等間隔にドットが印刷等により設けられており、操作メニュー部３４の各操作項目にはスライドタッチセンサ５の方向へラインが表示されているので、操作位置がわかりやすい構成となっている。
【００２６】
操作メニューを選択するための操作手段として、各操作項目に対応して操作ボタン等を複数設けた場合は、画面に表示することのできる操作項目の数は操作ボタンの数に制限されてしまうことになるが、本発明のように、スライドタッチセンサを操作手段として用いた場合は、画面に表示できる操作項目の数を増やしたい場合でも対応することができ、操作メニュー等の画面の設計に自由度を与えることができるものである。
【００２７】
なお、図５乃至図７に示した画面構成は一例であり、その構成や配置等は任意に変更可能である。例えば、操作メニュー部３４をスライドタッチセンサ４に沿って縦方向に表示させて、スライドタッチセンサ４で操作メニューの操作項目の選択を行うように構成することもできる。
【図面の簡単な説明】
【００２８】
【図１】本発明の実施の形態にかかる表示装置の正面図。
【図２】図１の表示装置の上面図。
【図３】図１の表示装置において表示部材を９０度回転させた状態を示す正面図。
【図４】本発明の実施の形態にかかる表示装置のブロック図。
【図５】表示部に選択画面が表示された状態を示す図。
【図６】表示部に操作画面が表示された状態を示す図。
【図７】表示部に表示されている画像の送信元である電子機器の操作画面が表示された状態を示す図。
【符号の説明】
【００２９】
１      表示装置
２      表示部材
３      表示部（表示手段）
４      スライドタッチセンサ
５      スライドタッチセンサ
６      タッチセンサ
７      本体部材
８      画面操作キー
９      メニュー操作キー
１０    ＡＶ操作キー
１１    スピーカ
１２    カードスロット
１３    電源キー
１４    画面調整キー
１５    選局キー
１６    音量キー
１７    無線送受信部（無線送信手段）
１８    無線送受信部（無線受信手段）
１９    回転軸
２０    外部メモリ制御部
２１    切替部
２２    音声処理部
２３    スケーラ
２４    画像処理部
２５    重畳部
２６    マイコン（制御手段）
２７    ＲＯＭ
２８    操作部
２９    ＯＳＤ発生部
３０    操作ボタン
３１    子画面部
３２    一覧メニュー部
３３    名称部
３４    操作メニュー部
３５    電源キー
【図１】
2005323214.tif 000003
【図２】
2005323214.tif 000004
【図３】
2005323214.tif 000005
【図４】
2005323214.tif 000006
【図５】
2005323214.tif 000007
【図６】
2005323214.tif 000008
【図７】
2005323214.tif 000009